(57)【要約】【課題】  作業者の手によって、折り畳まれた状態から容易に展開して組立可能である箱型コンポジット容器を提供すること。【考案を解決するための手段】【解決手段】  直方体形状のダンボール製の外箱１２を、側壁部を形成する側面１６ａ，１６ａと、底部を形成する底面２４に、それぞれ折り曲げ線１８，１８，２６を形成すると共に、側面と底面とを連結する４つの稜辺のうち、側面１６ａと底面２４を連結する２つの稜辺２０を切り離して、側面１６ａ，１６ａと底面２４とが折り曲げ線から折り曲げ（折り畳み）可能となるように形成し、その外箱１２内に、樹脂フィルム製の内袋１４を収容、固定せしめて、コンポジット容器１０を形成した。【選択図】          図  １【実用新案登録請求の範囲】
【請求項１】
紙製の外箱の内部に、樹脂フィルム乃至はシート等の耐水性及び可撓性を有する材質にて形成された、液体等の封入可能な袋体が収容、固定されてなるバッグインボックス型のコンポジット容器にして、
直方体形状を与える紙製の外箱の、側壁部にて形成される４つの側面と底壁部にて形成される底面とを連結する４つの稜辺のうち、対向する２つの稜辺を切り離すと共に、該稜辺が切り離された側壁部の２つの側面と底面のそれぞれの中央部に、かかる切り離した稜辺と直行する方向に折り曲げ線を形成し、該折り曲げ線においてそれぞれ外方に突出するようにして折り畳み可能とすると共に、外箱内に収容される袋体の外面と、該外箱の少なくとも対向する２つの側壁の内面とを貼り付けて、固定することによって、外箱の展開と同時に内部の袋体も併せて展開され得るようにしたことを特徴とする箱型コンポジット容器。
【請求項２】
前記外箱が、ダンボールによって形成された側壁部と底部とを備えている請求項１に記載の箱型コンポジット容器。
【請求項３】
前記外箱の外側に更に所定の箱体が配置されて、該外箱が該箱体によって補強されている請求項１または請求項２に記載の箱型コンポジット容器。
【請求項４】
前記袋体が、前記外箱の側壁部にて与えられる内容積に対応する大きさの、積層フィルムからなるフィルム・パウチである請求項１乃至請求項３のうちの何れかに記載の箱型コンポジット容器。
【請求項５】
前記外箱の側壁部が、紙製板状体を折り曲げて、対向する両端部を重ね合わせ、接着せしめることによって形成された、矩形筒状体にて与えられる一方、該重ね合わされた両端部の内側となる端部側において、該矩形筒状体の軸方向中央部に位置するように、手を掛け得る大きさの手穴が前記重ね合わせ部に近接した位置で貫通して設けられている請求項１乃至請求項４のうちの何れかに記載の箱型コンポジット容器。
【考案の詳細な説明】
【技術分野】
【０００１】
本考案は、紙製の外箱の内部に樹脂フィルム乃至はシート等の材質にて形成された袋体が収容、固定されてなるバッグインボックス型のコンポジット容器に係り、特に、折り畳まれた状態から容易に展開可能となるように改良された構造に関するものである。
【背景技術】
【０００２】
従来から、建築用接着剤や塗料等、各種の液体を封入するために、各種の容器が用いられており、中でも、１０リットルから２０リットル程度の容量をもつ金属缶、所謂一斗缶と呼ばれる金属製の缶が、よく用いられている。しかしながら、このような金属缶にあっては、その内部に封入されていた液体を使用した後の空き缶を処分するに際して、缶内部への残留物の付着等の問題から、そのリサイクルが難しい場合が多く、そしてその結果、使用済みの多くのものが産業廃棄物となってしまうために、大量に使用した際には、環境問題を引き起こす恐れがあった。
【０００３】
そこで、そのような金属製の缶に代わり、耐水性及び可撓性を有する樹脂製のフィルムにて形成されたフィルム・パウチ袋や、そのような樹脂製の袋を、ダンボール等の紙製の外箱の内部に収容、固定したものが、各種提案され、用いられている。例えば、特開２００１−２１２８号公報（特許文献１）においては、胴部下端に底部と、上端に折り線を介して前後左右に４枚の天フラップが連設する厚紙製外箱内に、液体を収容するプラスチックフィルム製の内袋を収容し、該内袋の上端開口部の外面を前記天フラップの内面に貼り付けたバッグインボックスが、明らかにされている。また、特開平１０−７２０３２号公報（特許文献２）においては、分解ないしは折り畳み可能な剛体の箱状容器に、液密性の袋を収容した組み立て式容器が、明らかにされている。
【０００４】
このように、紙製の外箱と、液体等を封入する耐水性を持った内袋とのコンポジット（複合）容器とすることによって、内容物を使用したあとの容器の処理を、外箱と内袋とを分離して処分することによって行うことが可能となり、例えば、外箱を形成する紙部は燃やしたり、リサイクルして新たな外箱にしたりする一方、内部のフィルムは、それのみを産業廃棄物として処理したりすることにより、ゴミの排出量を効果的に減少せしめることが可能となるのである。
【０００５】
しかしながら、そのようなコンポジット容器にあっては、その容器の大きさが大型化するほど、その容器に封入する液体等の重さや、かかる容器を積み上げた際に加わる重量に耐え得るためにも、外箱に高い強度が必要とされることとなる。そのため、例えば、よく用いられる一斗缶の代わりになる程度の大きさとされたコンポジット容器にあっては、その強度を確保するために、外箱に用いられるダンボールの材質を、通常の１層のダンボールから、より強度の高い２層或いはそれ以上の多層構造を持つダンボールを用いる必要があるのである。
【０００６】
而して、そのような高強度のダンボールを用いて形成された箱型コンポジット容器にあっては、その製造コストが上昇することに加えて、かかるコンポジット容器を、折り畳んだ状態から展開し、容器として組み立てて使用するに際して、高強度であるが故に、その折り曲げ（組み立て）には多大な力が必要となるために、効率的に組み立てを行うためには、組み立てを補助、或いは自動化する機械等の設備が必要となってしまうのである。その結果、そのような機械を有していない中小の工場にあっては、作業性が低下してしまう恐れがあった。
【０００７】
【特許文献１】特開２００１−２１２８号公報
【特許文献２】特開平１０−７２０３２号公報
【考案の開示】
【考案が解決しようとする課題】
【０００８】
ここにおいて、本考案は、かかる事情を背景にして為されたものであって、その解決課題とするところは、紙製の外箱と耐水性を有する内袋とを組み合わせてなるコンポジット容器において、作業者の手によって折り畳まれた状態から容易に展開して組立可能である箱型コンポジット容器を提供することにある。
【課題を解決するための手段】
【０００９】
そして、本考案にあっては、かかる課題の解決のために、紙製の外箱の内部に、樹脂フィルム乃至はシート等の耐水性及び可撓性を有する材質にて形成された、液体等の封入可能な袋体が収容、固定されてなるバッグインボックス型のコンポジット容器にして、直方体形状を与える紙製の外箱の、側壁部にて形成される４つの側面と底壁部にて形成される底面とを連結する４つの稜辺のうち、対向する２つの稜辺を切り離すと共に、該稜辺が切り離された側壁部の２つの側面と底面のそれぞれの中央部に、かかる切り離した稜辺と直行する方向に折り曲げ線を形成し、該折り曲げ線においてそれぞれ外方に突出するようにして折り畳み可能とすると共に、外箱内に収容される袋体の外面と、該外箱の少なくとも対向する２つの側壁の内面とを貼り付けて、固定することによって、外箱の展開と同時に内部の袋体も併せて展開され得るようにしたことを特徴とする箱型コンポジット容器を、その要旨とするものである。
【００１０】
また、かかる課題を解決する本考案に従う箱型コンポジット容器の望ましい態様の一つによれば、前記外箱が、ダンボールによって形成された側壁部と底部とを備えている箱型コンポジット容器をも、その要旨としている。
【００１１】
さらに、本考案にあっては、前記外箱の外側に、更に所定の箱体が配置されて、該外箱が該箱体によって補強されている箱型コンポジット容器や、前記袋体が、前記外箱の側壁部にて与えられる内容積に対応する大きさの、積層フィルムからなるフィルム・パウチである箱型コンポジット容器をも、その特徴とするものである。
【００１２】
加えて、かかる本考案に従う箱型コンポジット容器の他の望ましい態様の一つによれば、前記外箱の側壁部が、紙製板状体を折り曲げて、対向する両端部を重ね合わせ、接着せしめることによって形成された、矩形筒状体にて与えられる一方、該重ね合わされた両端部の内側となる端部側において、該矩形筒状体の軸方向中央部に位置するように、手を掛け得る大きさの手穴が前記重ね合わせ部に近接した位置で貫通して設けられている箱型コンポジット容器をも、その要旨とする。
【考案の効果】
【００１３】
このように、上述せる如き本考案に従う箱型コンポジット容器にあっては、紙製の外箱の内部に、樹脂フィルム乃至はシート等の耐水性及び可撓性を有する材質にて形成された袋体が収容、固定されているところから、従来の金属缶に比して大きく軽量化することが出来ると共に、かかるコンポジット容器を使用した後の容器の廃棄が、外箱と内袋とをそれぞれ分別して行うことにより、産業廃棄物の発生量を、効果的に低減することが可能となるのである。
【００１４】
しかも、そのような箱型コンポジット容器にあっては、容器の形状を与える外箱が、直方体形状の、側面と底面とを連結する４つの稜辺のうちの対向する２つの稜辺を切り離すと共に、該稜辺が切り離された２つの側面と底面のそれぞれの中央部に、かかる切り離した稜辺と直行する方向に折り曲げ線を形成して、該折り曲げ線においてそれぞれ外方に突出するようにして折り畳み可能とされているところから、未使用状態においては、折り畳んでコンパクトに収容可能であると共に、使用時には、折り曲げ線の形成されていない側面を離間するように展開しつつ、折り曲げ線にて折り曲げられて外方に突出していた側面と底面とを、平面となるように復元することによって、容易に使用状態となる直方体形状の箱体を形成することが可能となるのである。
【００１５】
さらに、かかるコンポジット容器にあっては、外箱内に収容される袋体の外面と、該外箱の少なくとも対向する２つの側壁の内面とが貼り付けられて、固定されているところから、そのような折り畳み状態からの展開時に、側面に貼り付けられた袋体も同時に引っ張られて展開が行われることとなり、かかるコンポジット容器の使用に際しての作業性が、有利に向上されることとなる。
【００１６】
なお、本考案に従う箱型コンポジット容器の望ましい態様の一つにあっては、かかる外箱がダンボール製とされているところから、求められる強度に応じて各種のダンボールを使用することにより、容器全体の強度を効果的に高め得ると共に、かかるコンポジット容器の使用後において、外箱と内袋を分離して処分した際にも、外箱を形成するダンボールをリサイクルすることによって、産業廃棄物の量を効果的に低減せしめ、環境問題の改善が可能となるのである。
【００１７】
また、本考案に従う箱型コンポジット容器の他の望ましい態様によれば、前記外箱の外側に、更に別の箱体が配置されているところから、外箱と内袋からなるコンポジット容器自体の強度に加えて、更に外側の箱体によってコンポジット容器全体が補強されることとなり、容器全体の強度を効果的に向上せしめることが可能となる。更に、そのように、外側の箱体によって箱型コンポジット容器が補強されるところから、外箱と内袋からなる箱型コンポジット容器自体の強度を高める必要がなくなり、必要最小限の強度をもつ材質にて外箱を形成することが可能となり、外箱の展開時に必要な力を効果的に低減することが出来る。
【００１８】
さらに、かかる箱型コンポジット容器においては、内袋をフィルム・パウチによって形成するようにすれば、外箱の形状に対応した内袋の形成を容易に行い得ると共に、かかる内袋内に液体等を導入した後の袋体の開口部の密封も、ヒートシール等の手段によって容易に行うことが可能となるのである。
【００１９】
加えて、本考案に従う箱型コンポジット容器において、外箱が、紙製の板状体を折り曲げて、対向する両端部を重ね合わせ、該重ね合わせ部を接着せしめることによって形成された矩形筒状体とされていると共に、該矩形筒状体の軸方向中央部位の重ね合わせ部の近接した位置に、手を掛け得る大きさの手穴が貫通して設けられている構成を採用すれば、かかる箱型コンポジット容器を廃棄するべく分解するに際して、かかる手穴に手指を挿入して、重ね合わせ部のそれぞれの面を引っ張ることによって、接着した重ね合わせ部を容易に剥離することが出来、コンポジット容器の分解の作業性を、有利に向上せしめることが可能となるのである。
【考案を実施するための最良の形態】
【００２０】
以下、本考案を更に具体的に明らかにするために、本考案の実施の形態について、図面を参照しつつ、詳細に説明することとする。
【００２１】
先ず、図１には、本考案に従うコンポジット容器１０が、その斜視図の形態において、概略的に示されている。この図１からも明らかなように、コンポジット容器１０は、直方体形状の外箱１２と該外箱１２内に収容された内袋１４にて形成されている。そこにおいて、外箱１２はダンボール製とされ、充分な強度を保ちつつ、側面１６ａや底面２４に設けられた折り曲げ線１８，２６（図２参照）より容易に折り曲げ可能とされている。一方、内袋１４は、外箱１２内に収容可能な大きさの筒状の胴体部をもち、その長さが、外箱１２の全長よりも、ある程度長くなるように、耐水性及び可撓性を有した樹脂製のフィルムやシート、或いは各種の樹脂とアルミ箔等を積層した複合フィルム乃至はシートをカットして、ヒートシール等の手段によって袋状に形成されており、該内袋１４の外面の一部と、外箱１２の４つの側壁のうちの少なくとも２つの側壁の内面とが接着剤等で貼り付けられて、外箱１２に固定されている。
【００２２】
より詳細には、そのような本考案に従うコンポジット容器１０は、外箱１２の直方体形状を与える側面１６ａや１６ｂ、底面２４とを連結する４つの稜辺のうち、その中央部に折り曲げ線１８が設けられた側面１６ａと底面２４とを連結している稜辺２０と、それと対向する側面１６ａと底面２４とを連結する稜辺とが、それぞれ切り離されて、形成されている。このように、側面１６と底面２４を連結する稜辺の２つが切り離されているとことから、かかるコンポジット容器１０が、未使用の状態においては、図２に示されるように、それぞれの折り曲げ線１８，１８，２６において外方に突出するように側面１６ａ，１６ａと底面２４が折り曲げられて、側面１６ｂ，１６ｂ同士が接するように平坦化されることによって、一部が切り欠かれた略矩形の板状に折り畳まれるようになっているのである。
【００２３】
そして、そのようにして折り畳まれたコンポジット容器１０は、図３に順次その手順が示されるように、先ず、図３（ａ）のように折り畳まれた状態から、図３（ｂ）に示すように折り曲げ線１８，１８，２６において外方に突出していた側面１６ａや底面２４を、それぞれ内側に向かって押圧しつつ、相対向する側面１６ｂ、１６ｂが離間するように展開し、次いで、図３（ｃ）に示す如く、側面１６ａと底面２４とが、稜辺２０にて接するようにして、コンポジット容器１０が直方体形状となるように成形した後、稜辺２０において、側面１６ａと底面２４とを連結するように、粘着テープ２２等によって貼り合わせることによって、図１に示したように、直方体形状を呈する外箱１２内に内袋１４が固定された状態のコンポジット容器として形成されることとなるのである。
【００２４】
また、かかるコンポジット容器１０においては、外箱１２の側面１６ｂ，１６ｂの内面と、内袋１４の外面とが貼り付けられて、外箱１２内に内袋１４が固定されており、前述の如く、外箱１２を展開してコンポジット容器１０を組み立てる際には、外箱１２の側面１６ｂ，１６ｂの離間と同時に、該側面１６ｂ，１６ｂの内面に取り付けられた内袋１４も同時に展開されることとなり、かかる内袋１４内に封入する液体等を注入する際の注入口となる開口部２６が形成されるのである。
【００２５】
そして、そのようなコンポジット容器１０の組立後に、かかる開口部２８から、内袋１４内に接着剤や塗料等の液体を注入し、開口部２８をヒートシール等の手段によって密封することによって、目的の液体が封入された箱型コンポジット容器１０として用いられることとなる。
【００２６】
このように、本考案に従う箱型コンポジット容器１０にあっては、直方体形状とされた外箱１２の構造が、単に、側面と底面をつなぐ４つの稜辺のうちの対向する２つを切り離し、側面１６ａ，１６ａと底面２４に折り曲げ線１８，１８，２６を設けただけの簡単な構造であるところから、容器の折り畳みや組み立てが簡単且つ容易となり、作業性を有利に向上せしめることが可能となる。
【００２７】
さらに、液体を封入する内袋１４が、外箱１２によって覆われているために、ガゼット部等を設けて自立性を持たせた樹脂製のパウチ容器よりも、確実に自立することが可能となると共に、外箱１２によってコンポジット容器１０全体の形状が安定するところから、内袋１４が破裂して内容物が漏れてしまう恐れも回避され得ることとなる。また、そのような内袋１４の長さが、外箱１２の側面の高さよりも長くされているところから、内袋１４内に液体を注入し、開口部２８をヒートシールする際の作業性も、有利に向上せしめられるのである。
【００２８】
さらに、かかるコンポジット容器１０によれば、外箱１２はダンボールにて形成され、内袋１４は樹脂フィルムにて形成されているところから、容器を処分する際に、外箱１２と内袋１４とを分離して、それぞれ所定のリサイクルをして資源の再利用をすることによって、環境問題の悪化が、効果的に低減され得るのである。また、封入されていた内容物によって内袋１４がリサイクル出来ない場合にあっても、樹脂フィルム１４のみを産業廃棄物として処理すればよいところから、従来の金属缶全体を産業廃棄物として処理していた場合よりも、大幅に、その廃棄物の量を削減することが可能となるのである。
【００２９】
また、内袋１４は、ポリエチレン等の樹脂の単層のものから、それら樹脂やアルミ箔とを重ね合わせた複合フィルム乃至はシートを、ヒートシール等の各種の手段によって貼り合わせて、形成されている、所謂フィルム・パウチ容器であるところから、板状或いは筒状に形成されたそれらのフィルムを所定の形状にカットして、必要に応じてそのようなフィルムを重ね合わせた後に、端部をシールして密閉するだけで、容易に任意の形状の内袋１４形成することが可能であり、そのような内袋１４と外箱１２と組み合わせて、所望のコンポジット容器１０を得ることが出来るのである。
【００３０】
その他、一々列挙はしないが、本考案は、当業者の知識に基づいて種々なる変更、修正、改良等を加えた態様において実施され得るものであり、また、そのような実施態様が、本考案の趣旨を逸脱しない限り、何れも、本発明の範囲内に含まれるものであることは、言うまでもないところである。
【００３１】
例えば、図４に示すように、内袋１４に液体等を注入し、余分な空気を抜いた後に開口部２８をヒートシールし、かかるヒートシールを行った部位、つまり、内袋１４が外箱１２よりも突出した個所を、外箱１２の高さ以下となるように内袋１４を折り畳んだ、コンポジット容器１０の更に外側に、コンポジット容器１０よりも僅かに大きなサイズとされた箱体３０を配置し、そして該箱体３０の内部に、コンポジット容器１０を挿入するようにすることにより、コンポジット容器１０の強度、換言すれば、外箱１２の強度を必要以上に高めることなく、コンポジット容器１０全体の強度を高めることが可能となるのである。さらに、そのような箱体３０内にコンポジット容器１０を収容することにより、従来の肉厚のダンボールにて形成されたコンポジット容器と同程度の耐荷重性を確保することが出来るところから、物流面や保管面においても、従来のコンポジット容器や金属製の容器と同様に扱うことが可能となる。ところで、そのような箱体３０を形成する材質は、外箱１２と同様にダンボール等の紙製であっても、或いはプラスチック等の樹脂製であってもよく、その構造も、公知の各種のものが使用可能である。
【００３２】
また、図５（ａ）に示すように、板状のダンボールを略Ｔ字状に切断して、直方体形状のそれぞれの面を形成するように折り曲げ線を形成した後に、一方の側面１６ａを与えるＴ字形状の頭部の端部（図において右側）に設けられた重ね合わせ部３２を形成し、かかる重ね合わせ部３２の形成部位に切り欠き３４を設け、該重ね合わせ部３２と反対側の端部となる側面１６ｂの端部とを重ね合わせた後に接着せしめて、側壁部となる矩形筒状体部を形成すると共に、底面２４も同様にして、その端部に設けられた重ね合わせ部３２を、底部２４が連結されている側面１６ｂと対向する側面１６ｂの端部とを重ね合わせた後に接着せしめて、図５（ｂ）に示す如く、外箱１２の側壁部の一部に、手指を掛け得る大きさの手穴３６が設けられていても良い。このように、外箱１２に手穴３６が設けられていれば、コンポジット容器１０の使用後に外箱１２を分解するに際して、かかる手穴３８に手をかけて、側面１６ａと側面１６ｂに力を加えることによって、張り合わせ部３０の接着を剥がすために必要な力を、張り合わせ部３０に効果的に加えることが可能となり、コンポジット容器１０を容易に分解することが出来るようになる。
【００３３】
さらに、図６に示すように、側面１６ａ，１６ａを、底面２４の形成される方向に、底面２４の稜辺の長さの約１／２の長さ分それぞれ延長して、外箱１２が組み立てられた際に、底面２４と延長部３８が重ね合わされて底面が形成されるようにすれば、外箱１２の強度、換言すれば、コンポジット容器１０全体の強度を、より有利に向上せしめることが可能となる。なお、かかる図６に示した型から得られるコンポジット容器１０の折り畳まれた状態は図７（ａ）に示すようになり、また、その組み立ては、前述した図３と同様に行われるが、図７（ｂ）に示されるように、外箱１２が組み立てられた際に、側面１６ａの延長部３８が底面２４の外側となるようにされ、対向する延長部３８，３８の付き合わされた端部を連結するように、粘着テープ２２によって固定することによって、外箱１２の底部が、底面２４と延長部３８，３８によって、二重底の形態において形成されることとなるのである。
【００３４】
更にまた、前述した実施形態においては、箱体３０の内部にコンポジット容器１０を収容した後に、箱体３０に設けられた蓋を閉めて、コンポジット容器１０全体を覆っていたが、例えば図８に示す如く、コンポジット容器１０の外箱１２よりも僅かに大きく、その高さが外箱１２と略同一の高さとされた蓋状の箱体４０を、コンポジット容器１０の上部からコンポジット容器１０全体の底面以外をすっぽりと覆うように被せるようにすることも勿論可能である。このように、蓋状の箱体４０をコンポジット容器１０に被せた後に、それらを粘着テープや紐、梱包バンド等で縛ることによって、外箱４０とコンポジット容器１０とが固定されることとなるが、特に、梱包バンドにて固定した場合には、かかるコンポジット容器を使用する際の箱体４０の開封作業が、梱包バンドを切断するだけで済むところから、その作業性が有利に向上されることとなる。
【図面の簡単な説明】
【００３５】
【図１】本考案に従う箱型コンポジット容器の一例を示す斜視説明図である。
【図２】本考案に従う箱型コンポジット容器の折り畳んだ一例を示す斜視説明図である。
【図３】図２にしめされる箱型コンポジット容器を組み立てる際の手順を段階的に示す斜視説明図である。
【図４】本考案に従う箱型コンポジット容器のさらに外側に箱体を設けた際の様子を示す斜視説明図である。
【図５】本考案に従う箱型コンポジット容器の別の一例を示す説明図であって、（ａ）は、外箱を形成するダンボールが展開された状態を示し、（ｂ）は組み立てられた状態を示す。
【図６】本考案に従う箱型コンポジット容器のさらに別の一例を与える外箱の展開された状態を示す説明図である。
【図７】図６に示される型を用いて形成された外箱を有する本考案に従う箱型コンポジット容器を示す説明図であって、（ａ）は折り畳まれた状態を示し、（ｂ）は組み立てられた状態を示している。
【図８】本考案に従う箱型コンポジット容器を収容する箱体の別の一例を示す説明図である。
【符号の説明】
【００３６】
１０  コンポジット容器
１２  外箱
１４  内袋
１６ａ，１６ｂ  側面
１８  折り曲げ線
２０  稜辺
２２  粘着テープ
２４  底面
２６  折り曲げ線
２８  開口部
【図１】
0003102128.tif 000002
【図２】
0003102128.tif 000003
【図３】
0003102128.tif 000004
【図４】
0003102128.tif 000005
【図５】
0003102128.tif 000006
【図６】
0003102128.tif 000007
【図７】
0003102128.tif 000008
【図８】
0003102128.tif 000009